(57)【要約】      （修正有）【課題】墓参時のローソク着火に対する利便的手段を有した墓石用回動型ローソク立てを提供する。【解決手段】墓石上に固着立設するための基台１と、該基台上に立設される切除側面および該切除側面と反対側位置上部に穿孔される通気孔を有する中空の外体５と、この外体上に固着される冠体７とを設け、外体内に位置するとともに外体に対し回動可能なる中空の回動体１０を設け、該回動体側面適所に空隙部を設ける。さらに、該空隙部以外の側面適所に切除部を設け、回動体下部にローソク立て金具を設け、回動体の回動停止位置を選択可能として、ローソク着火時の回動体位置と着火後の回動体位置の選択を可能となるよう構成する。【選択図】図８
0003174141.tif 000002
【実用新案登録請求の範囲】
【請求項１】
墓石上に固着立設するための基台と、該基台上に立設される切除側面および該切除側面と反対側位置上部に穿孔される通気孔を有する中空の外体と、この外体上に固着される冠体とを設け、外体内に位置するとともに外体に対し回動可能なる中空の回動体を設け、該回動体側面適所に空隙部を設けるとともに、該空隙部以外の側面適所に切除部を設け、回動体下部にローソク立て金具を設け、回動体の回動停止位置を選択可能として、ローソク着火時の回動体位置と着火後の回動体位置の選択を可能となるよう構成したことを特徴とする墓石用回動型ローソク立て。
【請求項２】
回動体下部および基台に水抜き孔を設けてなる請求項１記載の墓石用回動型ローソク立て。
【請求項３】
外体を円筒形として外体の切除側面を、外体平面視において外体円弧中心と切除部内端とのなす角を７０度から１００度の範囲としてなる請求項１または２記載の墓石用回動型ローソク立て。
【考案の詳細な説明】
【技術分野】
【０００１】  この考案は、墓石上に装備する回動型のローソク立てに関する。
【背景技術】
【０００２】  従来より、墓石用のローソク立てはあるが、本案に示すような回動型のものは見あたらない。
【考案の開示】
【考案が解決しようとする課題】
【０００３】  一般に、墓参時にはローソクと線香に着火して行うが、風が吹くとこの着火に手間取り、ローソクの場合は消火してしまう恐れがあるために、風よけ対策としての風防が利用されている。例えば、墓石に専用金具とピンを装備し、ピンにローソクの下部を挿入して立てた後、ローソクの芯に着火し、すばやく透明筒を専用金具に差し込み固定するものなどがある。しかし、この着火時に風が吹くと、この風をよけることが難しく、やはり着火に手間取ることがたびたびあった。
本案は以上に鑑み、ローソク着火時の風よけを可能とするとともに、着火後の風情にも優れてなる新規かつ有用なる手段を提供するべく発案されたものである。
【課題を解決するための手段】
【０００４】  課題を解決する手段として本案は以下の構成とした。
すなわち、墓石上に固着立設するための基台と、該基台上に立設される切除側面および該切除側面と反対側位置上部に穿孔される通気孔を有する中空の外体と、この外体上に固着される冠体とを設け、外体内に位置するとともに外体に対し回動可能なる中空の回動体を設け、該回動体側面適所に空隙部を設けるとともに、該空隙部以外の側面適所に切除部を設け、回動体下部にローソク立て金具を設け、回動体の回動停止位置を選択可能として、ローソク着火時の回動体位置と着火後の回動体位置の選択を可能となるよう構成する。
本案は以上の構成よりなる墓石用回動型ローソク立てである。
【考案の効果】
【０００５】  本案は以下の効果を有する。
１．外体と回動体にてローソク炎を取り囲む構造のため、風によるローソク炎消火の恐れがない。
２．回動体の正面を装飾的空隙部に、裏面を切除部とすることにて、回動体を回動させて裏面切除部を正面としてローソクへの着火が容易となり、回動体正面を正視位置として良好な視覚性を得ることができる。
３．基台等に水抜き孔を設けることにて、内部雨水の自然排出を行うことができる。
４．主材に石材を用いて構成し、墓石上適所に固着立設することにて、その耐候性から長期にわたる使用が可能であり、墓参ごとのローソク用風防の持参を不要とし、また盗難を防止することができる。
【考案を実施するための最良の形態】
【０００６】  以下、本考案の実施形態について説明する。
図において、１は基台で、短円柱形石材の中央上部に円形凹部２を設け、該石材下端に半円形凹部３を一方の外周端より他方の外周端に至る直線状に設け、上記凹部下面から上記半円形凹部に至る一対の水抜き孔４を穿設して形成される。
５は外体で、石材により形成される筒体の側部上縁から下縁に至る一部を所定幅に切除して形成される。また、この切除部の反対側側面上部には排気口６が穿設される。
７は冠体で、その上部中央に飾り体８を有する略円錐形物体であり、その下部は水平面を有し、この水平面個所中央に円形凹部９を有している。
以上の基台の上面に外体が固着され、外体上面に冠体が固着されて非回動部分が形成される。１０は主回動体である。この主回動体は石材により形成される筒体で、該筒体側部の一部に装飾空隙１１を形成し、該装飾空隙と対称の側面位置に四角形切除部よりなる着火用空隙部１２が形成される。
１３は下部回動体で、上方に外径を違えた段部を有する円柱体である。この下部回動体の中央上部と中央下部に孔が穿設される。中央上部の孔には、その中央にピンを有する金属性のローソク立て金具１４が挿入固着される。中央下部の孔には以下に示す回動金具２０の一方が挿入固着される。この回動金具は以下の構成による。【０００７】  ２１は外金具で、上部に鍔部を有する有底円筒体である。２２は内金具で、中央に鍔部を有する円柱体である。以上の金具において、鍔部外径は互いに同一であるとともに、内金具外径は外金具内径よりわずかに小さく、内金具は外金具内に挿入可能である。
これら双方の金具の相互接触個所には必要に応じて摩擦力低下のための油分が付加される。この二つの回動金具は組み合わせて使用される。
下部回動体と基台とは回動金具を介して以下のごとき関係となる。
下部回動体には内金具の一部が挿入固着され、基台に設けた孔には外金具が挿入固着される。従って図１０にて示すように、下部回動体と基台凹部上面とは回動金具の鍔部厚さの分だけ距離を有して位置し、下部回動体は基台に対し回動可能である。なお、基台同様に水抜き孔２３が下部回動体にも設けられる。この下部回動体外径は主回動体外径と同一であり、この下部回動体上面に主回動体下面が固着立設される。
２４は短円柱形の上部回動体である。この上部回動体の中央上部には孔が穿設され、また冠体中央の凹部上面にも穿孔されて、冠体に内金具が上部回動体に外金具が各々挿入固着されて、既述の下部回動体と基台との関係と同様の関係性が冠体と上部回動体の間に成り立ち、冠体に対し上部回動体は回動自在である。また、この上部回動体外径と主回動体外径は同一であるとともに、上部回動体は主回動体上面に固着される。
以上の構成から、主回動体と上下部の回動体は一体となって回動体２５を構成し、この回動体は外体に対して回動自在の関係を有する。従って、回動体は外体に対しその回動位置の選択は自在である。【０００８】  本案品は、墓石適所に一対が固着立設される。本案使用に際してはまず、主回動体正面の装飾空隙に指を当てて、この主回動体を回動させ、裏面の着火用空隙部を正面に持ってくる。このとき、ローソク立て金具は露出しており、ここにローソクを立てて芯に着火する。この着火時において、着火用空隙部以外は外体にて囲まれており、風による消火は防止される。ローソクへの着火後は、再び主回動体を回動させて装飾空隙を正面に持ってくる。この装飾空隙は本例ではＸ形の石材模様の連続的組み合わせ形状であって、他の個所は空隙である。従って、この空隙部分に指を当てて容易に回動させることができ、この装飾空隙を通してローソク炎を視認することができ、良好な視覚性を得ることができる。
墓参後は、既述と逆の手順にてローソクを消火し、また除去することができる。
本例では、基台と下部回動体に水抜き孔を用いている。従って、雨天時に装飾空隙より主回動体内に侵入した雨水は、これら双方の水抜き孔を通って基台下部の半円形凹部に至り、この半円形凹部は基台下面の一方の端から他方の端に至る直線状のため、外部に雨水を自然排出することができる。
また、外体には排気口を設けている。これは、ローソク燃焼のための空気供給を配慮したものである。装飾空隙下部より主回動体内に空気が流入し、燃焼後の空気はこの排気口より外部に排出されて、燃焼に必要な一連の空気の流れが確保されて、ローソク燃焼は維持される。この空気流保持のために、排気口は外体平面視において装飾空隙と反対側に設けられる。【０００９】  以上、本案について記したが、本案は墓参時に点火したローソクの風による消火を防止し、またその視覚良好性を演出するものである。従来は既述のように、墓参の度に風防等を持参し、またローソクへの着火時に風が吹くとその着火に手間取り、あるいは着火したローソク炎の消火も懸念されたが、本案にてこれが解消されるものとなったのである。
なお、外体の所定巾切除部分は、記述例においては外体平面視において、外体中心と切除巾内端のなす角は８５度としているが、許容範囲は７０度から１００度の間が適当である。この寸法が広すぎると、ローソク点火時に風が吹き込みやすく、消火の可能性が高まり、逆に狭すぎると視覚的デザイン的に不適切となるので、上記範囲としたのである。
本案例では石材にて構成したが、他の素材を用いてもよく、外体は既述の筒形以外の形状としてもよい。また、回動体の装飾空隙のデザインは、適度の通気性を有するものであれば自由である。
以上のごとく、本案によって墓参時に便利なる物品を得ることができる。
【図面の簡単な説明】
【００１０】
【図１】  本考案の平面図
【図２】  本考案の正面図
【図３】  本考案の右側面図
【図４】  本考案の正面図（回動体回動時・一部略）
【図５】  本考案の主回動体の斜視図
【図６】  本考案の主回動体の斜視図（裏面側）
【図７】  本考案の外体の斜視図
【図８】  本考案の全体斜視図
【図９】  本考案の回動金具の拡大正面図
【図１０】  本考案の構造説明図
【符号の説明】
【００１１】  １  基台
２  円形凹部
３  半円形凹部
４  水抜き孔
５  外体
６  排気口
７  冠体
８  飾り体
９  円形凹部
１０  主回動体
１１  装飾空隙
１２  着火用空隙部
１３  下部回動体
１４  ローソク立て金具
２０  回動金具
２１  外金具
２２  内金具
２３  水抜き孔
２４  上部回動体
２５  回動体
３０  ローソク
【図１】
0003174141.tif 000003
【図２】
0003174141.tif 000004
【図３】
0003174141.tif 000005
【図４】
0003174141.tif 000006
【図５】
0003174141.tif 000007
【図６】
0003174141.tif 000008
【図７】
0003174141.tif 000009
【図８】
0003174141.tif 000010
【図９】
0003174141.tif 000011
【図１０】
0003174141.tif 000012